(57)【特許請求の範囲】
【請求項１】
下向きに開口するフード体の捕獲空間の内部に、縦置きに送風機を設置し、
かつ、前記送風機の吸引口の前方に整流板を配置し、この整流板の周囲各辺縁部に沿って吸込み隙間を備えている深型レンジフードであって、
前記整流板と前記吸引口が開口されている前記送風機の開口壁面との間に気流抑止部材を備え、
前記気流抑止部材は、前記フード体の下向き開口部側に位置する下側を除いて、前記開口壁面から前記整流板の裏面方向に向けて立ち上げ形成される前記汚染空気の突き当たり部を備えていることを特徴とする深型レンジフード。
【請求項２】
前記整流板が、前記フード体の前記下向き開口部の方向に向けた斜め下向き姿勢に取り付けられ、この斜め下向き姿勢の前記整流板に略沿う高さに合わせて前記突き当たり部が立ち上げ形成されていることを特徴とする請求項１に記載の深型レンジフード。
【請求項３】
前記整流板の上辺縁部との間に形成される前記吸込み隙間を狭くする垂下部材を、前記フード体の上面板に備えていることを特徴とする請求項１または請求項２に記載の深型レンジフード。
【請求項４】
前記気流抑止部材は、前記吸引口を形成するベルマウスを備えていることを特徴とする請求項１から請求項３の何れか１項に記載の深型レンジフード。
【請求項５】
前記整流板の下から前記フード体の背面板に向けて、前記フード体の下向き開口部側と前記送風機側とを仕切る仕切り板を配置し、この仕切り板と前記整流板の下辺縁部との間に前記吸込み隙間を形成していることを特徴とする請求項１から請求項４の何れか１項に記載の深型レンジフード。
【発明の詳細な説明】
【技術分野】
【０００１】
本発明は、調理中に加熱調理器具や調理鍋などから舞い上がる湯煙や油煙などの汚染空気を吸い込み捕集するための深い捕獲空間を有するフード体の内部に送風機を正面向きの縦置きに設置している深型レンジフードに関する。
【背景技術】
【０００２】
レンジフードは、汚染空気を吸い込み捕集するための捕獲空間が浅いタイプの薄型レンジフードを除いて深型レンジフードと呼称されている。
この深型レンジフードは、高さ方向（キッチン天井方向）に深く形成されている捕獲空間を有するフード体の内部に、正面向きの縦置きに送風機を設置している。
そして、深型レンジフードは、フード体の前側（調理者側）を向いて開口されている送風機の吸引口の前方に、フード体の下向き開口部側に向けた斜め下向き姿勢で整流板を配置し、さらに、この整流板の下からフード体の背面板に向けて、フード体の下向き開口部側と送風機側とを仕切るための仕切り板を配置している（特許文献１および特許文献２などを参照）。
すなわち、従来の深型レンジフードでは、送風機のファンケーシングの高さに相当する縦幅で、フード体の両側面板間の横幅寸法よりもわずかに狭い横幅にて略横長矩形形状に形成されている整流板を、送風機の吸引口の前方に斜め下向き姿勢に配置している。
これにより、整流板の周囲各辺縁部と、仕切り板、そしてフード体の上面板および両側面板との間にそれぞれ形成される吸込み隙間により、汚染空気が勢い良く流速を速めて送風機が設置されている整流板の後方（裏側）に吸気されるようになっている。
【特許文献１】特開２０００−７４４４１号公報（明細書中段落番号０００８、００１１、００２２および図４参照）
【特許文献２】特開２０００−７４４４２号公報（明細書中段落番号０００８、００１２および図１参照）
【発明の開示】
【発明が解決しようとする課題】
【０００３】
ところで、従来の深型レンジフードでは、フード体の下向き開口部から捕獲空間に吸込み捕集された汚染空気を、斜め下向き姿勢の整流板に沿わせて周囲各辺縁部の吸込み隙間から送風機の吸引口の方向に向けて速やかに流入させて、該吸引口から排気ダクトを通して屋外に排気することができる。
しかしながら、加熱調理器や調理鍋などから舞い上がってくる汚染空気が、キッチン天井側などに拡散するなどのフード体の外側への漏洩を防ぐための吸引力（吸込み捕集力）をフード体の下向き開口部に有効に発生させることができない。すなわち、汚染空気を取り逃がさずに下向き開口部から捕獲空間に確実に引き寄せ捕集するといったレンジフードに求められる本来の捕獲性能が向上されていない課題が残されていた。
【０００４】
なお、フード体の下向き開口部に強力な吸引力を発生させるための方策として、送風機のファンモータの出力を上げることが考えられるが、出力の大きいモータはコスト高であるばかりか、大型になる傾向にあるために、現状の送風機のファンケーシングに組み込むことが困難であり、実現性に乏しいものとなる。
【０００５】
そこで、本願発明者は、このような課題を解消するために、研究開発を重ねて本発明の創案に至ったものであり、送風機のファンモータの主力を上げずに、しかも、整流板自体に大きな改良などを加えることなく、送風機の吸引力をフード体の下向き開口部に有効に伝播させて、汚染空気を確実に捕獲し得るように改良された深型レンジフードを提供することにある。
【課題を解決するための手段】
【０００６】
前記課題を解決するために、本発明では、下向きに開口するフード体の捕獲空間の内部に、縦置きに送風機を設置し、この送風機の吸引口の前方に整流板を配置し、この整流板の周囲各辺縁部に沿って吸込み隙間を備えている深型レンジフードであって、
前記整流板と前記吸引口が開口されている前記送風機の開口壁面との間に気流抑止部材を備え、前記気流抑止部材は、前記フード体の下向き開口部側に位置する下側を除いて、前記開口壁面から前記整流板の方向に向けて立ち上げ形成される前記汚染空気の突き当たり部を備えていることを特徴とする。
ここで、前記整流板が、前記フード部の下向き開口部の方向に向けた斜め下向き姿勢に取り付けられている場合には、この斜め下向き姿勢の前記整流板に略沿う高さに合わせて前記突き当たり部が立ち上げ形成されていることが好適なものとなる。
【０００７】
また、前記整流板の上辺縁部とフード体の上面板との間に形成される吸込み隙間を狭くする垂下部材を、前記上面板に備えることが好適なものとなる。
さらに、前記整流板の下から前記フード体の背面板に向けて、前記フード体の下向き開口部側と前記送風機側とを仕切る仕切り板を配置していることが好適なものとなる。
また、前記整流板は、前記送風機のファンケーシングの高さに相当する縦幅で、前記フード体の両側面板間の横幅寸法よりもわずかに狭い横幅にて略横長矩形形状に形成されている。これにより、前記整流板の周囲各辺縁部と、前記仕切り板、そして前記フード体の上面板および両側面板との間に吸込み隙間が形成される。
【０００８】
このような構成によれば、送風機の吸引力により、フード体の下向き開口部から捕獲空間に吸い込み捕集された湯煙や油煙などの汚染空気は、整流板に突き当たり、この整流板の周囲各辺縁部に沿って形成されている吸込み隙間から送風機が設置されている整流板の裏側に勢い良く流速を速めて吸い込まれていく。
すると、整流板の裏側に勢い良く吸い込まれてきた汚染空気のうち、整流板の裏側に配置されている気流抑止部材の突き当たり壁部が立ち上げ備えられていないフード体の下向き開口部側に位置する整流板の下側（気流抑止部材の下側）の吸込み隙間から吸い込まれる汚染空気は、気流抵抗（気流摩擦）を受けることなく、送風機の吸引口の方向に流れる。
その一方で、吸引口の手前において突き当たり壁部が立ち上げ備えられている整流板の下側を除く、整流板の周囲各辺縁部の吸込み口から吸い込まれる汚染空気は、突き当り壁部への突き当りによって吸込み流れが抑えられる気流の接触抵抗（摩擦）を受けて送風機の吸引口の方向に流れることとなる。
これにより、送風機の吸引力は、汚染空気の吸引口へ向けて流れが速やかに（スムーズに）行われる整流板の下側に形成されている吸込み隙間側に、より多く伝播されることになる。換言すれば、加熱調理器や調理鍋などから舞い上がってくる汚染空気をキッチン天井などの方向に取り逃がさずに引き寄せるための吸引力（吸込み捕集力）をフード体の下向き開口部に効率よく、集中的に伝播させることができる。
【０００９】
また、本発明では、前記気流抑止部材が、前記吸引口を形成するためのベルマウスを備えていることを特徴とする。
【００１０】
このような構成によれば、付着した油（油脂分）などの汚れを拭き取るまたはシンクなどで丸洗いするときに、気流抑止部材をフード体内から取り外すことで、送風機の吸引口を内向きのラッパ形状に開口させるためのベルマウスをフード部の外に取り出して行うことができる。これにより、日常的なメンテナンス性の向上が図られる。
【発明の効果】
【００１１】
本発明の深型レンジフードは、以上のように構成されていることで、送風機の吸引力を、フード体の下向き開口部に効率よく、集中的に伝播させて、加熱調理器や調理鍋などから舞い上がってくる汚染空気をキッチン天井などに取り逃がさずに引き寄せるための強力な吸引力（吸込み捕集力）を下向き開口部に発生させることができる。
これにより、整流板と吸引口が開口されている送風機の開口壁面との間に気流抑止部材を備えという簡単な構成で、汚染空気を逃がさずに確実に下向き開口部から捕獲空間に引き寄せ捕集するといったレンジフードに求められる本来の捕獲性能を格段に向上させることができる。
すなわち、送風機のファンモータの主力を上げることなく、しかも、整流板自体に大きな改良などを加えることなく、送風機の吸引力をフード体の下向き開口部に効率よく、且つ、集中的に伝播させて、キッチン天井などに汚染空気を取り逃がすことなく、下向き開口部に確実に引き寄せて捕集空間に吸込み捕獲することができる。
【００１２】
また、気流抑止部材をフード体から取り外すことで、送風機の吸引口を形成するためのベルマウスをフード体から取り外すことができる。
これにより、付着した油（油脂分）などの汚れを拭き取るまたはシンクなどで丸洗いするなどの日常的なメンテナンス性の向上を期待することができる。
【発明を実施するための最良の形態】
【００１３】
以下、本発明の実施形態について、適宜図面を参照しながら詳細に説明する。
図１は、本実施形態に係る気流抑止部材を備えた深型レンジフードを示す縦断側面図であり、図２は、同深型レンジフードの横断平面図である。
【００１４】
≪レンジフードの構成≫
深型レンジフードＡは、図示省略の加熱調理器の略真上において設置され、調理中にガスコンロなどの加熱調理器や調理鍋などから舞い上がってくる湯煙や油煙などの汚染空気Ｇを吸込み捕集し、排気ダクトＢを通して屋外に排気するように構成されている。
この深型レンジフードＡは、図１に示すように、深型のフード体１内における背面板１−１側（キッチン壁Ｋ側）に位置させて送風機２を縦置きに設置している。これにより、送風機２の前方（前側）で高さ方向（キッチン天井の高さ方向）に深く、下向きに開口させた捕獲空間Ｍがフード体１内に形成されるようにしている。
【００１５】
また、レンジフードＡは、図１に示すように、送風機２の吸引口３の前方において、送風機２を隠蔽するように整流板４が配置されている。
これにより、図１、図２および後記の図３に示すように、整流板４の周囲各辺縁部４−１〜４−３と、後記の仕切り板５、そしてフード体１の上面板１−２および両側面板１−３との間に吸込み隙間Ｓ−１〜Ｓ−３がそれぞれ形成され、この各吸込み隙間Ｓ−１〜Ｓ−３から汚染空気Ｇが勢い良く流速を速めて整流板４の裏側（送風機２側）に吸い込まれるようにしている。
さらに、レンジフードＡは、図１に示すように、整流板４の下方位置からフード体１の背面板１−１に向けたフード体１の前後方向において、該フード体１の下向き開口部６側と整流板４および送風機２側とを仕切るように仕切り板５を配置している。
【００１６】
≪フード体の構成≫
フード体１は、図１および図２に示すように、前面と下面とを開口させたフード部１ａと、このフード部１ａの前面開口部に取り外し自在に取り付けられる前面パネル１ｂとから下向きに大きく開口させた下向き開口部６を備え、高さ方向に深い捕獲空間Ｍを有する箱型に形成されている。
【００１７】
≪送風機の構成≫
送風機２は、図１および図２に示すように、フード部１ａの上面板１−２に取り付けられるファンケーシング２ａにファンモータ２ｂを略同軸直立状に取り付けている。そして、ファンケーシング２ａ内に、モータボディーとともに略同軸状に臨ませたファンモータ２ｂのモータ軸には、排気ファン２ｃが抜き差し着脱自在に取り付けられている。
ちなみに、排気ファン２ｃは、排気能力が高い遠心ファン（通称：シロッコファンと称されている）である。
【００１８】
また、送風機２は、図１および図２に示すように、ボリュート形状に形成されているファンケーシング２ａの前面壁（開口壁面）１５に、後記する気流抑止部材１３に備えられるベルマウス７を内側に向けて装着されることによりラッパ口形状の吸引口３が形成されるようにしている。
さらに、送風機２は、ファンケーシング２ａの底部にオイル抜き孔８を備えている。これにより、ファンケーシング２ａの内側面や排気ファン２ｃの各羽根などへの汚染空気Ｇの接触によって汚染空気Ｇ中から分離捕獲される油脂分が、オイル抜き孔８から仕切り板５の上に滴下（流下）されて後記するオイル回収孔９よりオイルトレイ１０に回収されるようにしている。
【００１９】
≪仕切り板の構成≫
仕切り板５は、前辺縁を除く残り三辺縁が、フード体１の背面板１−１、両側面板１−３にネジ止め、或いはスポット溶接やその他の固着手段によって固定される大きさを有する平面視で略矩形形状に形成されている。
そして、この仕切り板５は、図１および図２に示すように、周囲四辺縁から後辺縁（フード体１の背面板１−１）側における幅方向の中央部位に向かって漸次傾斜させたオイル回収勾配５ａを備え、このオイル油回収勾配５ａの合流下端部位にはオイル回収孔９を備えている。
また、仕切り板５は、前辺縁に前上がり傾斜状に折り曲げ立ち上げた立上り辺部５ｂを備え、残る後辺縁と両側辺縁にはフード体１の背面板１−１と両側面板１−３に固定される取付辺部５ｃを備えている。
【００２０】
≪整流板の構成≫
図３は、整流板を裏側（送風機側）から見たときの斜視図である。ここでは、図１および図２を適宜参照しながら説明する。
整流板４は、送風機２のファンケーシング２ａの高さに相当する縦幅で、フード体１の両側面板１−３間の横幅寸法よりもわずかに狭い横幅にて正面視で略横長矩形形状に形成されている。
これにより、図１および図２に示すように、整流板４の周囲各辺縁部４−１〜４−３、つまり、図３に示すように、上辺縁部４−１、下辺縁部４−２、そして両側辺縁部４−３と、仕切り板５、そしてフード体１の上面板１−２および両側面板１−３との間に吸込み隙間Ｓ−１〜Ｓ−３がそれぞれ形成されるようにしている。
ここで、前記の横幅寸法よりもわずかに狭い横幅とは、図１および図２に示すように、整流板４の両側辺縁部４−３とフード体１の両側面板１−３との間にそれぞれ形成される両側の吸込み隙間Ｓ−３が、特に、整流板４の下辺縁部４−２と仕切り板５との間に形成される吸込み隙間Ｓ−２よりも狭くなるように、整流板４の横幅寸法を設定することを意味するものである。
【００２１】
また、整流板４は、図１および図３に示すように、フード体１の前面パネル１ｂ側に向けて緩やかに湾曲させた側面視で略弓なり形状に形成されている。
これにより、下向き開口部６から捕獲空間Ｍに吸込み捕集される汚染空気Ｇが整流板４に突き当たり、整流板４の表面に沿って上下両側の周囲各辺縁部４−１〜４−３の方向（吸込み隙間Ｓ−１〜Ｓ−３の方向）に整流されるようにしている。すなわち、フード部１の下向き開口部６に向けて加熱調理器から略垂直に舞い上がってくる汚染空気Ｇを整流板４の表面全体に万遍に突き当て整流板４の整流機能が発揮されるようにしている。
【００２２】
そして、このように形成されている整流板４は、図１に示すように、フード体１の上面板１−２に備えられている垂下部材１１に支持部材１２を介して、上辺縁部４−１側が回動可能で適宜係脱自在に支持され、送風機２の前面または気流抑止部材１３或いは後記する隠蔽パネル２４の下側に備えられている係脱部材１４によって、下辺縁部４−２側が係脱自在に支持されている。
これにより、気流抑止部材１３を送風機２の前面から取り外してシンクなどで洗浄するときや、整流板４自体を洗浄するときなどにおいて整流板４をフード体１から簡単に取り外すことができるようにしている。
【００２３】
≪垂下部材の構成≫
図４は、本実施形態に係る垂下部材を示す斜視図である。ここでは、図１および図３を適宜参照しながら説明する。
垂下部材１１は、図１に示すように、整流板４の上辺縁部４−１とフード体の上面板１−２との間に形成される吸込み隙間Ｓ−１が、特に、整流板４の下辺縁部４−２と仕切り板５との間に形成される吸込み隙間Ｓ−２よりも狭くなるように、上面板１−２に備えられる。
この垂下部材１１は、整流板４の横幅寸法に相当する長さを有し、側面視で略逆向きＬ字形状に形成されるものであり、図４に示すように、上面板１−２にビス止めやスポット溶着などによって取り付けられる取付片部１１ａを備え、この取付片部１１ａから所定の垂下長さにて折り曲げ垂設されている幅狭片部１１ｂを備えている。
【００２４】
また、垂下部材１１は、図１および図４に示すように、整流板４の上辺縁部４−１側をフード体１の上面板１−２に回動可能で適宜係脱自在に支持させるための支持部材１２を構成するフック部１２ａを備えている。
これにより、垂下部材１１を上面板１−２に取り付けることで、フック部１２ａを上面板１−２の左右所定位置に備えることができるようにしている。
【００２５】
≪支持部材の構成≫
支持部材１２は、図１、図３および図４に示すように、フード体１の上面板１−２側に配置される側面視で略Ｌ字形状のフック部１２ａと、このフック部１２ａに回動可能で、且つ、適宜着脱し得るように整流板４の上辺縁部４−２側に取り付けられる平面視で略コの字形状の引掛け杆部１２ｂとを備えて構成されている。
【００２６】
≪係脱部材の構成≫
図５は、係脱部材を示す斜視図および横断面図である。ここでは、図１および図３を適宜参照しながら説明する。
係脱部材１４は、例えば、図３および図５に示すように、隠蔽パネル２４に取り付けられる圧縮ばね１６により付勢される可動ピン１４ａと、この可動ピン１４ａに交差する関係で係脱自在に係止されるように、整流板４の下辺縁部４−２側に取り付けられるピン係止孔２３を有する係止体１４ｂとを備えて構成されている。
【００２７】
可動ピン１４ａは、前面壁１５にＬ形のブラケット１８を介して取り付けられるばね収容体１９に進退自在に備えられて、ばね収容体１９内に収容されている圧縮ばね１６により前進され（図５の斜視図参照）、圧縮ばね１６に抗してばね収容体１９内に後退（押動）されるようになっている（図５の横断面図参照）。
この可動ピン１４ａは、図５に示すように、やや大きめの外径に形成されている頭部２０と、バネ収容体１９内に進退動自在に組み込まれる軸部２１とで形成されている。
【００２８】
係止体１４ｂは、図５に示すように、可動ピン１４ａの頭部２０を圧縮ばね１６に抗して後退させるために外向き傾斜させた舌片部２２を先端部側に備えている。
また、係止体１４ｂは、可動ピン１４ａを係脱自在に係止させるためのピン係止孔２３を備えている。このピン係止孔２３は、係止体１４ｂの中央部位に可動ピン１４ａの頭部２０よりも大径な開口部２３ａと、この開口部２３ａの上位側に連通させて可動ピン１４ａの軸部２１を受け止めるための軸受け部２３ｂとから略ダルマ孔形状に形成されている。
【００２９】
そして、本実施形態の深型レンジフードＡは、図１および図２に示すように、整流板４と吸引口３が開口される送風機２の開口壁面との間に気流抑止部材１３を備えている。
【００３０】
≪気流抑止部材の構成≫
図６は、本実施形態に係る気流抑止部材を正面側から見たときの斜視図である。ここでは、図１および図２を適宜参照しながら説明する。
気流抑止部材１３は、プレス加工と絞り曲げ加工などによって一体に形成されるものであり、図１および図２に示すように、ファンケーシング２ａの前面壁１５の略全体を隠蔽することができる程度の大きさを有する正面視で略四角形状のパネル状に形成されている。
そして、気流抑止部材１３は、図１および図２に示すように、フード体１の下向き開口部５側に位置するパネル部１３ａの下辺縁側を除く、上辺縁側と両側辺縁側との三辺縁から整流板４の裏面方向に向けて折り曲げ立ち上げた汚染空気Ｇの突き当たり部１３ｂ，１３ｃを備えている。
【００３１】
また、気流抑止部材１３は、パネル部１３ａの中心部にベルマウス７を一体に備えている。これにより、図示省略の止めネジなどを用いてファンケーシング２ａの前面に気流抑止部材１３を取り付けることによって、図１および図２に示すように、ファンケーシングの２ａの前面にラッパ口形状の吸引口３が形成されるようにしている。
すなわち、気流抑止部材１３は、フード体１内から取り外してシンクなどで丸洗いするときに、ベルマウス７をフード体１内から一緒に取り外すことができる。これにより、付着した油脂分などの汚れを取り除くなどの洗浄性を格段に向上させて日常的なメンテナンス性を向上させることができる。
【００３２】
上辺縁側の突き当たり部１３ｂは、図１および図６に示すように、パネル部１３ａの上辺縁から整流板４の裏面方向に向けた斜め下向きで、両側辺縁の突き当たり部１３ｃの立ち上がり高さにて折り曲げ立ち上げられているとともに、立上がり上端縁部を外向きに折り曲げている。
【００３３】
両側辺縁側の突き当たり部１３ｃは、図２および図６に示すように、パネル部１３ａの両側辺縁（ファンケーシング２ａの前面壁１５）から整流板４の裏面方向に向けて略直角に形成されている。
そして、この突き当たり部１３ｃは、パネル部１３ａの下辺縁側から上辺縁側に至るに従って立ち上がり高さが漸次高くなるように形成されている。すなわち、整流板４の斜め下向き支持姿勢に略沿わせて、立上がり上端縁を下側から上側に向けて漸次傾斜させるとともに、立上がり上端縁を外向きに折り曲げている。
【００３４】
また、本実施形態に係るレンジフードＡでは、図２に示すように、送風機２（ファンケーシング２ａ）の両側に空いている空間を塞ぐように隠蔽パネル２４を備えている。
隠蔽パネル２４は、ファンケーシング２ａの下側を除く胴部外周面からフード体１の両側面板１−３および上面板１−２との間を塞ぐように形成されており、上面板１−２にネジ止めなどによって着脱自在に取り付けるようになっている。
【００３５】
［作用説明］
次に、このように形成されている気流抑止部材１３を、整流板４と送付機２との間で、ファンケーシング２ａの前面壁１５に取り付けて備えた本実施形態に係るレンジフードＡの作用について簡単に説明する。ここでは、図１および図２を適宜参照しながら説明する。
送風機２の吸引力によりフード体１の下向き開口部６から捕獲空間Ｍに吸い込み捕集された湯煙や油煙などの汚染空気Ｇが、整流板４に突き当たり、整流板４の周囲各辺縁部４−１〜４−３に沿って形成されている吸込み隙間Ｓ−１〜Ｓ−３から整流板４の裏側に勢い良く流速を速めて吸い込まれて吸引口３の方向に流れるときに、図１に示すように、気流抑止部材１３の突き当たり壁部１３ｂ，１３ｃが立ち上げ備えられていない整流板４の下辺縁部４−２側（吸込み隙間Ｓ−２側）から吸い込まれた汚染空気Ｇ−１は、障害物に突き当たるなどの接触抵抗（摩擦）を受けることなく、吸引口３の方向に流れ、該吸引口３からファンケーシング２ａ内に吸気され、排気ダクトＢを通って屋外に排気される。
その一方で、吸引口３の手前に突き当たり壁部１３ｂ，１３ｃが立ち上げ備えられている整流板４の上辺縁部４−１および両側辺縁部４−３側（吸込み隙間Ｓ−１，Ｓ−３側）からそれぞれ吸い込まれた汚染空気Ｇ−２は、突き当たり部１３ｂ，１３ｃへの突き当たるように接触によって吸引口３の方向への吸込み流れが抑えられる。つまり、流れの障害物となる突き当たり部１３ｂ，１３ｃへの突き当たり接触によって吸込み流速が減速される接触抵抗を受けながら吸引口３の方向に流れることとなる。
これにより、吸引口３からの吸引力は、吸込み隙間Ｓ−２から吸引口３へ向けて汚染空気Ｇ−１の流れが速やかに（スムーズに）行われる整流板４の下端縁部４−２に沿って形成されている吸込み隙間Ｓ−２側に、より多く伝播されることになる。換言すれば、加熱調理器や調理鍋などから舞い上がってくる汚染空気Ｇをキッチン天井側などに取り逃がさずに引き寄せるための吸引力（吸込み捕集力）を、フード体１の下向き開口部６に効率よく、集中的に伝播させることができる。
【００３６】
図７は、本実施形態に係る気流抑止部材を備えた深型レンジフードの他の実施形態を示す縦断側面図である。
斯かる実施形態に係る深型レンジフードＡ−１は、図７に示すように、整流板４０の縦断面形状を変えた以外の構成要素においては前記した実施形態の深型レンジフードＡと基本的に同じであることから、同じ構成要素に同じ符合を付することにより重複説明は省略する。
すなわち、整流板４０の側面視形状は、図７に示すように、周知のように平らな面状に形成されている。そして、前記した支持部材１２と係脱部材１４とによって斜め下向き姿勢にて送風機２の前方に配置される整流板４に沿わせて気流抑止部材１３の左右両側の突き当たり部１３ｃを漸次傾斜させている。
【００３７】
なお、図示を省略しているが、捕獲空間Ｍに吸い込み捕獲される全ての汚染空気Ｇを、整流板４の下辺縁部４−２の吸込み隙間Ｓ−２からファンケーシング２ａの吸引口３の方向に流れるように、吸込み隙間Ｓ−２を除く、整流板４の上辺縁部４−１と両側辺縁部４−３との三辺縁の吸込み隙間Ｓ−１，Ｓ−３を塞いだ構成とすることで、吸込み隙間Ｓ−２を介してフード体１の下向き開口部６に伝播される汚染空気Ｇをキッチン天井などの方向に取り逃がさずに引き寄せるための吸引力（吸込み捕集力）を、フード体１の下向き開口部６により一層効果的に伝播させることができる。
すなわち、気流抑止部材１３に変えて、整流板４の下辺縁部４−２側を除く、上辺縁部４−１と両側辺縁部４−３との三辺縁の吸込み隙間Ｓ−１，Ｓ−３を塞ぐ隙間閉鎖部材を、整流板４と送風機２の前面との間に備える構成とすることも考えられる。しかし、加熱調理器から舞い上がってくる汚染空気Ｇは、図１および図７に示すように、フード体１のフード部１ａの下側のみならず、前面パネル１ｂの下側から捕獲空間Ｍに吸い込み捕集されて、前面パネル１ｂの内側面に沿って捕獲空間Ｍの上部側、両側の方向へ流れがあるために、上辺縁部４−１と両側辺縁部４−３との三辺縁の吸込み隙間Ｓ−１，Ｓ−３を塞ぐことなく、整流板４の裏側への汚染空気Ｇ−２の吸い込みを必要とするものである。
【図面の簡単な説明】
【００３８】
【図１】本実施形態に係る気流抑止部材を備えた深型レンジフードを示す縦断側面図である。
【図２】同深型レンジフードの横断平面図である。
【図３】整流板を背面側（送風機側）から見たときの斜視図である。
【図４】本実施形態に係る垂下部材を示す斜視図である。
【図５】係脱部材を示す斜視図および横断面図である。
【図６】本実施形態に係る気流抑止部材を正面側から見たときの斜視図である。
【図７】本実施形態に係る気流抑止部材を備えた深型レンジフードの他の実施形態を示す縦断側面図である。
【符号の説明】
【００３９】
Ａ      レンジフード
１      フード体
１−１  背面板
１−２  上面板
１−３  両側面板
２      送風機
３      吸引口
４，４０  整流板
４−１  上辺縁部
４−２  下辺縁部
４−３  両側辺縁部
５      仕切り板
６      下向き開口部
９      オイル回収孔
１１    垂下部材
１３    気流抑止部材
１３ａ  パネル部
１３ｂ，１３ｃ  突き当たり部
Ｓ−１〜Ｓ−３  吸込み隙間
Ｇ，Ｇ−１，Ｇ−２  汚染空気
【図１】
0005073466.tif 000002
【図２】
0005073466.tif 000003
【図３】
0005073466.tif 000004
【図４】
0005073466.tif 000005
【図５】
0005073466.tif 000006
【図６】
0005073466.tif 000007
【図７】
0005073466.tif 000008